(57)【要約】【課題】表示部の背面に複数のキーを具備する携帯端末の背面キーを有効活用する。【解決手段】携帯端末１０１は、位置が相反する第一面と第二面とを有する装置本体と、第二面に配列されている複数のキー（背面キー６）と、第二面が表側となって視認される裏面状態で操作キーへの入力操作を個々に認識する背面キー検出部７と、第一面が表側となって視認される表面状態で複数の操作キーを少なくとも一以上の操作エリアに区分するエリア選択手段と、表面状態で操作キーへの入力操作を前記操作エリアごとに認識する区分認識手段と、を有する。【選択図】図４
2010034857.tif 000002
【特許請求の範囲】
【請求項１】
位置が相反する第一面と第二面とを有する装置本体と、
前記第二面に配列されている複数の操作キーと、
前記第二面が表側となって視認される裏面状態で前記操作キーへの入力操作を個々に認識する通常認識手段と、
前記第一面が表側となって視認される表面状態で前記複数の操作キーを少なくとも一以上の操作エリアに区分するエリア選択手段と、
前記表面状態で前記操作キーへの入力操作を前記操作エリアごとに認識する区分認識手段と、
を有することを特徴とする携帯端末。
【請求項２】
前記エリア選択手段は、多数の操作キーから少数の操作エリアを前記操作キーごとに選択し、
前記区分認識手段は、前記通常認識手段が認識した前記操作キーを基準として、認識された前記操作キーの所定範囲内にある前記操作キーを前記操作エリアとして認識することを特徴とする請求項１に記載の携帯端末。
【請求項３】
前記エリア選択手段は、前記第一面が表側となって視認される表面状態で多数の前記操作キーを少数の前記操作エリアに区分することを特徴とする請求項１に記載の携帯端末。
【請求項４】
前記エリア選択手段は、多数の前記操作キーから少数の前記操作エリアを前記操作キーごとに選択し、
前記区分認識手段は、前記通常認識手段が認識した前記操作キーを一時的に保持する保持手段をさらに有し、
保持された前記操作キーと認識された操作キーとを比較することにより前記操作キーの移動方向を検出し、前記移動方向を考慮して認識された前記操作キーを前記操作エリアとして認識することを特徴とする請求項１または２に記載の携帯端末。
【請求項５】
前記エリア選択手段は、多数の前記操作キーから少数の前記操作エリアを前記操作キーごとに選択し、
前記区分認識手段は、前記通常認識手段が認識した前記操作キーを一時的に保持する保持手段をさらに有し、
保持された前記操作キーと認識された操作キーとを比較することにより前記操作キーの移動量を検出し、前記移動量を考慮して認識された前記操作キーの所定範囲内にある前記操作キーを前記操作エリアとして認識することを特徴とする請求項１、２、４に記載の携帯端末。
【請求項６】
前記第一面に配置されている表示部をさらに有し、
前記エリア選択手段は、
前記操作エリアの設定要求を前記表示部に表示させる設定要求手段と、
前記表示部に表示された前記操作エリアと、前記設定要求に呼応して前記通常認識手段が認識した前記操作キーと、を対応づけて格納する格納手段と、
を有し、
前記区分認識手段は、
前記操作エリアの入力要求を前記表示部に表示させる入力要求手段と、
格納された前記操作キーを参照し、前記入力要求に呼応して前記通常認識手段が認識した前記操作キーから対応する前記操作エリアを抽出する抽出手段と、
を有し、
抽出された前記操作エリアを入力された前記操作エリアとして認識することを特徴とする請求項１乃至５いずれかに記載の携帯端末。
【請求項７】
前記第一面と前記第二面との角度を自在に変更するヒンジ機構と、
前記装置本体の状態に基づいて、第一の入力モードと第二の入力モードとを切り替えるモード切替手段と、
をさらに有し、
前記第一の入力モードは、前記第二面が前記第一面の反対側に設けられているとき、前記操作キーへの前記入力操作を前記操作エリアごとに認識することを特徴とする請求項１乃至６いずれかに記載の携帯端末。
【請求項８】
前記第一面と前記第二面との角度を自在に変更するヒンジ機構と、
前記装置本体の状態に基づいて、第一の入力モードと第二の入力モードとを切り替えるモード切替手段と、
をさらに有し、
前記第二の入力モードは、前記第二面が前記第一面の反対側に設けられていないとき、前記操作キーへの前記入力操作を個々に認識することを特徴とする請求項１乃至７いずれかに記載の携帯端末。
【請求項９】
前記エリア設定手段は、前記操作エリアと押下時間とを対応づけて設定し、
前記区分認識手段は、前記操作キーの押下時間を検出することにより前記操作キーへの入力操作を前記操作エリアごとに認識することを特徴とする請求項１乃至８いずれかに記載の携帯端末。
【請求項１０】
前記第一面に配置されている表示部をさらに有し、
前記区分認識手段が前記操作エリアからの入力を認識したとき、操作エリアを表示部に表示させることを特徴とする請求項１乃至９いずれかに記載の携帯端末。
【請求項１１】
携帯端末のデータ処理方法であって、
前記携帯端末は、
位置が相反する第一面と第二面とを有する装置本体と、
前記第二面に配列されている複数の操作キーと、
を有し、
前記第二面が表側となって視認される裏面状態で前記操作キーへの入力操作を個々に認識するステップと、
前記第一面が表側となって視認される表面状態で前記複数の操作キーを少なくとも一以上の操作エリアに区分するステップと、
前記表面状態で前記操作キーへの入力操作を前記操作エリアごとに認識するステップと、
を含むことを特徴とするデータ処理方法。
【請求項１２】
携帯端末に実行させるコンピュータプログラムであって、
前記携帯端末は、
位置が相反する第一面と第二面とを有する装置本体と、
前記第二面に配列されている多数の操作キーと、
を有し、
前記第二面が表側となって視認される裏面状態で前記操作キーへの入力操作を個々に認識する通常認識処理と、
前記第一面が表側となって視認される表面状態で前記複数の操作キーの一部から少なくとも一以上の操作エリアに区分するエリア選択処理と、
前記表面状態で前記操作キーへの入力操作を前記操作エリアごとに認識する区分認識処理と、
を前記携帯端末に実行させるコンピュータプログラム。
【発明の詳細な説明】
【技術分野】
【０００１】
本発明は、携帯端末、そのデータ処理方法、携帯端末のためのコンピュータプログラム、に関する。
【背景技術】
【０００２】
携帯端末の入力キーに関連する技術として、例えば特許文献１乃至５に記載のものが知られている。特許文献１乃至３には、表示画面の背面にキーを具備する携帯端末が記載されている。
【０００３】
表示画面の背面にキーを具備する携帯端末の一例を図１２、１３に示す。携帯端末３００は、正面にディスプレイ３０１と正面キー３０４を配置し（図１２）、背面側には６つの操作キー（背面キー３０６）が配置されている（図１３）。
【０００４】
図１４は、携帯端末３００の論理構造を示す模式的なブロック図である。携帯端末３００は、表示を行うディスプレイ（図１４中ＬＣＤ）３０１と、ディスプレイ３０１を駆動するディスプレイ駆動部（図１４中ＬＣＤ駆動部）３０２と、ディスプレイ３０１の表示データを処理するディスプレイ表示処理部（図１４中ＬＣＤ表示処理部）３０３と、正面キー３０４と、正面キー３０４のキー入力を検出する正面キー検出部３０５と、背面キー３０６と、背面キー３０６のキー入力を検出する背面キー検出部３０７と、システム処理部３０８と、ＣＰＵ３０９と、ＲＯＭ３１０と、ＲＡＭ３１１と、を具備している。
【特許文献１】国際公開第２００５／０１０７４０号パンフレット
【特許文献２】特開２０００−２３６３７６号公報
【特許文献３】特開２００２−７７３５７号公報
【特許文献４】特開２００４−２２１６８３号公報
【特許文献５】特開２００３−２８８１５６号公報
【発明の開示】
【発明が解決しようとする課題】
【０００５】
しかしながら、上述した特許文献１乃至３及び携帯端末３００の技術においては、背面に具備するキーの認識性を正面キーの認識性と同等程度にするために、キーのサイズや数を制限せざるを得ないという問題があった。その上、キーの機能はあらかじめ設定されていることから、背面キーを十分に活用することができないという問題もあった。
【０００６】
本発明は上記事情に鑑みてなされたものであり、その目的とするところは、裏面に複数のキーを備える携帯端末において、物理的なキーのサイズや数に制限されることなく有効活用できる携帯端末を提供することにある。
【課題を解決するための手段】
【０００７】
本発明によれば、位置が相反する第一面と第二面とを有する装置本体と、
前記第二面に配列されている複数の操作キーと、
前記第二面が表側となって視認される裏面状態で前記操作キーへの入力操作を個々に認識する通常認識手段と、
前記第一面が表側となって視認される表面状態で前記複数の操作キーを少なくとも一以上の操作エリアに区分するエリア選択手段と、
前記表面状態で前記操作キーへの入力操作を前記操作エリアごとに認識する区分認識手段と、
を有することを特徴とする携帯端末
が提供される。
【０００８】
また、本発明によれば、携帯端末のデータ処理方法であって、
前記携帯端末は、
位置が相反する第一面と第二面とを有する装置本体と、
前記第二面に配列されている複数の操作キーと、
を有し、
前記第二面が表側となって視認される裏面状態で前記操作キーへの入力操作を個々に認識するステップと、
前記第一面が表側となって視認される表面状態で前記複数の操作キーを少なくとも一以上の操作エリアに区分するステップと、
前記表面状態で前記操作キーへの入力操作を前記操作エリアごとに認識するステップと、
を含むことを特徴とするデータ処理方法
が提供される。
【０００９】
さらに、本発明によれば、携帯端末に実行させるコンピュータプログラムであって、
前記携帯端末は、
位置が相反する第一面と第二面とを有する装置本体と、
前記第二面に配列されている多数の操作キーと、
を有し、
前記第二面が表側となって視認される裏面状態で前記操作キーへの入力操作を個々に認識する通常認識処理と、
前記第一面が表側となって視認される表面状態で前記複数の操作キーの一部から少なくとも一以上の操作エリアに区分するエリア選択処理と、
前記表面状態で前記操作キーへの入力操作を前記操作エリアごとに認識する区分認識処理と、
を前記携帯端末に実行させるコンピュータプログラム
が提供される。
【発明の効果】
【００１０】
本発明によれば、入力操作が視認されない操作キーを物理的なキーのサイズや数に制限されることなく活用することができる。
【発明を実施するための最良の形態】
【００１１】
以下、本発明の実施の形態について、図面を用いて説明する。尚、すべての図面において、同様な構成要素には同様の符号を付し、適宜説明を省略する。
【００１２】
図１は、携帯端末１０１を第一面からみた斜視図である。図２は、携帯端末１０１を第二面からみた斜視図である。図１及び図２で示すように、位置が相反する第一面と第二面とを有する装置本体と、第二面に配列されている背面キー６と、を有する。また、携帯端末１０１の第一面には、ディスプレイ１（表示部）が配置されている。背面キー６は複数の操作キーから構成される。
【００１３】
また、携帯端末１０１は、ディスプレイ１が配置されている面と背面キー６が配置されている面との角度を自在に変更する回転ヒンジ３１（ヒンジ機構）を有する。図３は、携帯端末１０１の側面図である。図３（ａ）は、回転ヒンジ３１により、携帯端末１０１を閉じた状態を示す図である。図３（ｂ）は、回転ヒンジ３１により、携帯端末１０１を開いた状態を示す図である。
【００１４】
図４は、携帯端末１０１の論理構造を示す模式的なブロック図である。携帯端末１０１は、背面キー検出部７およびシステム処理部８を有する。背面キー検出部７は、第二面が表側となって視認される裏面状態で操作キーへの入力操作を個々に認識する。
【００１５】
携帯端末１０１の装置本体は、システム処理部８を備える。図５は、システム処理部８の論理構造を示す模式的なブロック図である。システム処理部８は、エリア選択部８１と、区分認識部８２と、を有する。エリア選択部８１は、第一面が表側となって視認される表面状態で複数の操作キーを少なくとも一以上の操作エリア（たとえば、Ａ１（センター）、Ａ２、Ａ３、Ａ４、Ａ５（上下左右））に区分する。区分認識部８２は、前記表面状態で操作キーへの入力操作を操作エリアごとに認識する。
【００１６】
上記の構成により、携帯端末１０１は、キーの機能を複数のキーから構成されるエリアごとに割り当てを設定することで、キーを見ずに自由にキーの配列を設定することができる。以下、携帯端末１０１について、詳細に説明する。
【００１７】
図１及び図２に示すように、携帯端末１０１の表側にディスプレイ１と操作用正面キー４を具備し、背面側に別の操作用背面キー６を具備している。この背面キー６は、図２に示すとおり、回転ヒンジ３１が開いた状態で通常は使用される。しかしながら、背面キー６は、回転ヒンジ３１が閉の状態でも活用することができる。その活用法の詳細は、後述する。
【００１８】
携帯端末１０１として、携帯電話、ＰＤＡ（Ｐｅｒｓｏｎａｌ  Ｄｉｇｉｔａｌ  Ａｓｓｉｓｔａｎｔ）、デジタルカメラ等を例示することができる。
【００１９】
図１において、携帯端末１０１は、表示を行うディスプレイ１と、操作を行う正面キー４を具備している。図２は図１の状態の携帯端末１０１の裏側を示している。正面キー４の背面側には別の操作キーとしての背面キー６が具備されている。正面側と背面側は構造的に分離するヒンジ構造をしており、回転ヒンジ３１で接続されている。回転ヒンジ３１が回転した状態を図３に示す。携帯端末１０１は、ブラインドタッチ機能を有している。
【００２０】
図３（ａ）に示すとおり、回転ヒンジ３１が閉状態ではディスプレイ１と背面キー６はそれぞれ反対面に配置されている。回転ヒンジ３１が開状態ではディスプレイ１と背面キー６は同じ面を向くため、ユーザの操作上、背面キー６を見ながら操作をすることができる。また、図６は、回転ヒンジ３１が開状態での背面キー６を使う操作状態を示している。
【００２１】
図４で示すように、携帯端末１０１は、表示を行うディスプレイ（図４中ＬＣＤ）１と、ディスプレイ１を駆動するディスプレイ駆動部（図４中ＬＣＤ駆動部）２と、ディスプレイ１の表示データを処理するディスプレイ表示処理部（図４中ＬＣＤ表示処理部）３と、正面キー４と、正面キー４のキー入力を検出する正面キー検出部５と、背面キー６と、背面キー６のキー入力を検出する背面キー検出部７と、システム処理部８と、ＣＰＵ９と、ＲＯＭ１０とＲＡＭ１１を具備している。
【００２２】
ディスプレイ１は、たとえば、液晶ディスプレイ（ＬＣＤ、ｌｉｑｕｉｄ  ｃｒｙｓｔａｌ  ｍｏｎｉｔｏｒ）とすることができる。
【００２３】
図５で示すように、エリア選択部８１は、設定要求部８０１と、エリア設定部８０２と、エリアＤＢ８０３と、を有する。設定要求部８０１は、操作エリアの設定要求をディスプレイに表示させる。エリア設定部８０２は、ディスプレイ１に表示された操作エリアと、設定要求に呼応して背面キー検出部７が認識した操作キーと、を対応づけてエリアＤＢ８０３に格納する。
【００２４】
区分認識部８２は、入力要求部８０５およびエリア特定部８０６を有する。入力要求部８０５は、操作エリアの入力要求をディスプレイ１に表示させる。エリア特定部８０６は、格納された操作キーを参照し、入力要求に呼応して背面キー検出部７が認識した操作キーから対応する操作エリアを抽出する抽出手段を備える。これにより、抽出された操作エリアを入力要求された操作エリアとして認識する。
【００２５】
操作エリアを認識する手段として３通りの方法を例示することができる。以下、各例について説明する。
【００２６】
（例１）
エリア選択部８１は、背面キー検出部７が認識した操作キーに基づいて、多数の操作キーから少数の操作エリアを操作キーごとに選択することができる。具体的には、エリア設定部８０２が、設定要求部８０１によってディスプレイ１に表示された操作エリアと、背面キー検出部７によって認識された操作キーと、を対応づけてエリアＤＢ８０３に格納する。たとえば、ディスプレイ１に「センターキー」の設定要求が表示された際、背面キー検出部７が「Ｈ」キーを検出したとする。この場合、エリア設定部８０２は、「Ｈ」キーを「センターキー」と対応づけることができる。同様に、上下左右キーについてそれぞれ「Ｄ」「Ｋ」「Ｙ」「Ｖ」キーを操作エリアとして選択する。そして、入力要求部８０５によって入力要求をディスプレイ１に表示されたとき、エリア特定部８０６は、背面キー検出部７が認識した操作キーを基準として、認識された操作キーの所定範囲内にある背面キー６を操作エリアとして認識することができる。
【００２７】
認識されたキーが所定範囲内にあるかどうかは、任意に定められたしきい値の範囲内であるか否かで判断することができる。登録されたしきい値の範囲内であると判断されることにより、認識された操作キーは、入力要求された操作エリアとして認識することができる。しきい値については、あらかじめ出荷時に登録しておいてもよいし、ユーザが任意の値を設定できるようにしておいてもよい。
【００２８】
その結果、たとえば、入力要求に応じて入力が検出された「Ｈ」「Ｄ」「Ｋ」「Ｙ」「Ｖ」キー以外のキーも操作エリアとして認識することができる。たとえば、図８で示すように各操作エリアを認識することができる。エリアＡ１がセンターキー機能を有する操作エリアであり、エリアＡ２が上キー機能を有する操作エリアであり、エリアＡ３が下キー機能を有する操作エリアであり、エリアＡ４が左キー機能を有する操作エリアであり、Ａ５が右キー機能を有する操作エリアである。
【００２９】
（例２）
本例は、あらかじめ、エリア選択部８１が、第一面が表側となって視認される表面状態で多数の操作キーを少数の操作エリアに区分しておく例である。
【００３０】
具体的には、背面キー検出部７が、表示された設定要求に呼応して入力された操作キーを検出すると、検出された操作キーを基準として、検出された操作キーから所定範囲内にある操作キーを操作エリアとして設定する。エリア設定部８０２は、まず、例１と同様に、ディスプレイ１に表示された操作エリアと、認識された操作キーと、を対応づけてエリアＤＢ８０３に格納する。たとえば、設定要求に応じて入力が検出された「Ｈ」「Ｄ」「Ｋ」「Ｙ」「Ｖ」キーが、それぞれ、センターキーおよび上下左右キーとしてエリアＤＢ８０３に格納される。このとき、エリア設定部８０２は、「Ｈ」「Ｄ」「Ｋ」「Ｙ」「Ｖ」キーから所定範囲内にあるキーも操作エリアとして割り当てて格納する。
【００３１】
所定範囲内にあるかどうかの判断は、任意に定められたしきい値の範囲内であるか否かで判断することができる。登録されたしきい値の範囲内であると判断されることにより、検出された操作キーの所定範囲内に配置されているキーであると判断される。検出された操作キーの所定範囲内にあると判断されたキーに操作エリアの機能を付与することにより、当該キーを操作エリアの一部として構成させることができる。このしきい値については、あらかじめ出荷時に登録しておいてもよいし、ユーザが任意の値を設定できるようにしておいてもよい。
【００３２】
このように、設定要求に応じて入力が検出された「Ｈ」「Ｄ」「Ｋ」「Ｙ」「Ｖ」キーを基準としてそれぞれの操作キーから所定範囲内の操作キーも操作エリアとして割り当てることができる。たとえば、図８で示すようにあらかじめ操作エリアを割り当てておくこともできる。
【００３３】
その結果、入力要求部８０５による入力要求に応じて、背面キー検出部７が操作キーの入力を認識すると、エリア特定部８０６が、エリアＤＢ８０３に格納された操作キーを参照し、背面キー検出部７により検出された操作キーと一致する操作キーがあるか判断することができる。そして、一致すると判断された操作キーに対応する操作エリアを抽出し、抽出された操作エリアが入力された操作エリアとして認識されることになる。
【００３４】
（例３）
エリア選択部８１は、例１のように、多数の操作キーから少数の操作エリアを操作キーごとに選択することができる。区分認識部８２は、背面キー検出部７が認識した操作キーを一時的に保持することができる。エリア特定部８０６が保持された操作キーと認識された操作キーとを比較することにより操作キーの移動方向・移動量を検出する。ついで検出された移動方向・移動量を考慮することにより、背面キー検出部７が認識した操作キーを操作エリアとして認識することができる。たとえば、エリアＤＢ８０３に、あらかじめ、センターキーとなる操作エリアのみを設定しておき、入力要求部８０５の入力要求に呼応して入力された操作キーが設定された操作エリアに対してどちらに移動したかで、上下左右を識別する。こうすることで移動方向を考慮して背面キー検出部７が認識した操作キーから操作エリアを認識することができる。これにより、背面キーをマウスのように使うことも可能となる。また、例２で示すようにあらかじめ複数の操作キーからなる操作エリアを設定するとき、エリア設定部８０３は、センターキーと操作エリアとの間の距離を換算し、エリアＤＢ８０３に格納しておく。そして、区分認識部８２は、センターキーを一時的に保持し、エリア特定部８０６は、エリアＤＢ８０３を参照して入力を検出した操作キーと保持されたセンターキーとの移動量から対応する操作エリアを抽出する。このとき、移動方向と移動量とを組み合わせて操作エリアを特定してもよい。こうすることで、上下左右キーよりも複雑な操作エリアの設定および認識が可能となる。
【００３５】
以上、操作エリアを認識する手段として３通りの方法を例示したが、本発明は上記の例に限定されることはない。
【００３６】
図５に戻り、システム処理部８は、実行部８０７を有する。実行部８０７は、区分認識部８２が特定した操作エリアにより所定の処理を実行することができる。また、実行部８０７は、背面キー検出部７が検出した操作キーによって、直接所定の処理を実行することもできる。
【００３７】
また、システム処理部８は、装置本体の状態に基づいて、第一の入力モードと第二の入力モードとを切り替えるモード切替部８０４を備えることもできる。
【００３８】
モード切替部８０４は、背面キー６がディスプレイ１の反対側に設けられているとき（例えば、図１、図２、図３（ａ）で示す状態）、第一の入力モードに切り替えることができる。第一の入力モードでは、区分認識部８２が操作エリアの入力を認識することができる。
【００３９】
一方、モード切替手段と、背面キー６がディスプレイ１の反対側に設けられていないとき（例えば、図３（ｂ）、図６で示す状態）、第二の入力モードに切り替えることができる。第二の入力モードでは、背面キー検出部７が背面キー６への入力操作を個々に認識することができる。認識された操作キーは、直接実行部８０７に送出され、所定の処理が実行されることとなる。
【００４０】
上述のよう携帯端末の各部は、必要により各種のハードウェアを利用して実現される。しかし、携帯端末が実装されているコンピュータプログラムに対応して機能することにより実現されている。
【００４１】
このようなコンピュータプログラムは、例えば、第二面が表側となって視認される裏面状態で操作キーへの入力操作を個々に認識する通常認識処理、第一面が表側となって視認される表面状態で複数の操作キーを少なくとも一以上の操作エリアに区分するエリア選択処理、表面状態で操作キーへの入力操作を操作エリアごとに認識する区分認識処理、等の処理動作をシステム処理部８に実行させるためのソフトウェアとしてＲＡＭ１１等の情報記憶媒体に格納されている。
【００４２】
つづいて、携帯端末１０１の動作について説明する。携帯端末１０１は、以下のステップにしたがって、所定のデータ処理を行う。
（ｉ）背面キー６が表側となって視認される裏面状態で操作キーへの入力操作を個々に認識するステップ。
（ｉｉ）ディスプレイ１の面が表側となって視認される表面状態で複数の操作キーから構成される背面キー６を少なくとも一以上の操作エリアに区分するステップ。
（ｉｉｉ）ディスプレイ１の面が表側の状態で操作キーへの入力操作を操作エリアごとに認識するステップ。
【００４３】
以下、携帯端末１０１の動作について具体的に説明する。図７は、上記（ｉｉ）の操作エリアを区分するステップを説明するフローチャートである。具体的には、ユーザがキーを見ずに感覚的に任意のキーを指定しキーの役割設定を行う初期設定動作を示している。
【００４４】
まず、背面キー６に上下左右キー機能を設定する例を用いて説明する。背面キー６の各キーにどのキーアサインをするかを予め決めておく。換言すると、複数の操作キーから５つの操作エリアを選択し、各操作エリアにセンター及び上下左右いずれかのキー機能を付与する。初期設定のタイミングは、電源起動後の１回のみであっても、アプリケーションソフトの立ち上げごとであってもよい。まずキーアサインを初期化し（Ｓ１）、センターキー機能をどの物理キーに割り当てるかをディスプレイ１にて入力要求を表示する（Ｓ２）。ユーザが背面キー６のいずれかのキーを押下した場合（Ｓ３ＹＥＳ）、そのキーをセンターキー機能として割り当てる（Ｓ４）。同様に右キー（Ｓ５）、左キー（Ｓ６）、上キー（Ｓ７）、下キー（Ｓ８）の割り当てを行う。
【００４５】
より具体的には、設定要求部８０１が、ディスプレイ１に設定要求を表示させるとともに、表示させた操作エリアがセンターキーであることをエリアＤＢ８０３に登録する。このとき、たとえば、ＫｅｙＣｅｎｔｅｒという入力キーコードを割り当てることにより登録することができる。そして、背面キー検出部７が検出された操作キーが「Ｈ」キーであることを登録された「センターキー」に対応づけて格納する。
【００４６】
同様に、上下左右キーについてそれぞれ「Ｄ」「Ｋ」「Ｙ」「Ｖ」キーが割り当てられたことがエリアＤＢ８０３に格納される。
【００４７】
ここで、上記説明した例２においては、背面キー６のうち、上記「Ｈ」「Ｄ」「Ｋ」「Ｙ」「Ｖ」キー以外のキーも操作エリアとして割り当てられる。この例では、格納された「Ｈ」「Ｄ」「Ｋ」「Ｙ」「Ｖ」キーを基準として各キーに最も近いキーの操作エリアが操作エリアとして設定させることができる。たとえば、図８で示すように操作エリアを割り当てることができる。
【００４８】
図９は、上記（ｉｉｉ）の入力操作された操作キーのエリア判定を行うフローチャートの一例である。背面キー６にてユーザがキー入力をした場合（Ｓ９ＹＥＳ）、初期設定された操作キーのうち、所定範囲内のキーを認識し（Ｓ１０）、それぞれによりセンターキーとして認識させるか（Ｓ１１）、上下左右の各キーとして認識させるかを決定する（Ｓ１２〜Ｓ１５）。
【００４９】
このとき、Ｓ１０において、エリア特定部８０６は、背面キー検出部７が検出した操作キーを経時的に一時保存しておくことができる。そして、エリア特定部８０６は、エリアＤＢ８０３に格納された操作キーを参照し、検出された操作キーと一致する操作キーがない場合は、一時保存された操作キーから移動方向及び移動量を考慮して、どの操作キーに最も近いかどうかを判断する。そして、エリア特定部８０６が最も近いと判断した操作キーに対応する操作エリアをエリアＤＢ８０３から抽出し、抽出された操作エリアを入力された操作エリアとして特定する。
【００５０】
また、エリア選択部８１は、操作エリアと押下時間とを対応づけて設定することもできる。区分認識部８２は、操作キーの押下時間を検出することにより操作キーへの入力操作を操作エリアごとに認識することができる。
【００５１】
また、区分認識部８２により認識された操作エリアは、エリア特定部８０６からディスプレイ表示処理部３に送出してディスプレイ１に表示させてもよい。また、エリア特定部８０６から実行部８０７に送出して所定の情報処理が実行されてもよい。
【００５２】
以下、本実施形態の作用及び効果について説明する。携帯端末１０１は、装置本体の第一の面にディスプレイ１を設け、ディスプレイ１の反対側の面に複数の背面キー６を設けている。そして、複数の背面キー６を任意の機能を有する操作を選択し、操作キーへの入力操作を操作エリアごとに認識する。これにより、複数の背面キー６を任意の操作エリアに区分することができ、ユーザは設定した任意の操作エリアを利用して背面キーを操作することができる。したがって、背面キー６を有効に活用することが可能となる。
【００５３】
従来、多くのキー、たとえばコンピュータで標準のＱＷＥＲＴＹキーボードのキーを配置する場合には各キーを精度よく認識できない、等問題があった。
【００５４】
しかしながら、携帯端末１０１によれば、操作エリアとしてキー入力されたキーを基準として、基準キーの所定範囲内にある操作キーを操作エリアとして認識することができる。これにより、ユーザにより設定されたキーの所定範囲内のキーも操作エリアとして認識することができ、物理的には小さなキーを仮想的に大きな操作キーとして認識することにできる。したがって、ユーザが実際に背面キー６を見ずに操作することにより生じる入力ミスも誤入力とならない。よって、ユーザが期待する動作を実行することが可能となる。
【００５５】
また、携帯端末１０１は、回転ヒンジ３１を備え、装置本体の状態に基づいて、第一の入力モードと第二の入力モードとを切り替えることができる。そして、背面キー６がディスプレイ１の反対側に設けられているとき、入力認識部８２が操作エリアからの入力を認識し、背面キー６がディスプレイ１の反対側に設けられていないとき、背面キー６からの入力を個々に認識する。これにより、背面キー６は、回転ヒンジ３１が開いた状態では、通常のキーボード入力をすることができる一方、回転ヒンジ３１が閉じた状態であっても、背面キー６を活用することができる。したがって、小型な携帯端末にあっても、携帯端末の面を有効に活用することができ、ユーザの利便性を向上させることが可能となる。
【００５６】
また、携帯端末１０１は、操作エリアを押下時間に対応づけて設定することができる。そして、操作キーの押下時間を検出することにより操作エリアからの入力を認識することができる。これにより、設定できる操作エリアのバリエーションを増やすことができる。したがって、誤動作を低減させつつ、さらに背面キー６を有効に活用することができる。
【００５７】
さらに、携帯端末１０１は、操作エリアからの入力を認識したとき、操作エリアをディスプレイ１に表示させることもできる。これにより、細かな操作エリアを設定した場合においても、ユーザはディスプレイ１の表示を確認して入力に誤りがないかどうかを確認することができる。押下時間を測定することにより、背面キー６をタッチした状態で表示させて、ユーザが視覚的にタッチした操作キーを確認して入力をすることができる。したがって、誤動作をさらに低減しつつ、背面キー６を有効に活用することができる。
【００５８】
このようにして、携帯端末１０１は、背面に配置されたキーの入力においてブラインドタッチを提供することができ、従来有効に活用することができなかった表示画面の裏側に入力デバイスを効果的に配置することができる。そして、入力デバイスのキーの数を増やすことで入力を高速にする環境を提供することができる。
【００５９】
以上、図面を参照して本発明の実施形態について述べたが、これらは本発明の例示であり、上記以外の様々な構成を採用することもできる。
【００６０】
たとえば、携帯端末１０１に通信機能をもたせた携帯端末の一例について以下説明する。図１０は、携帯端末１０２を模式的に示すブロック図である。図１０において、携帯端末１０２は、携帯端末１０１の構成に加えて、接触により入力動作を行うタッチパネルセンサー１２と、タッチパネル解読部１３と、システム処理部８と、無線信号の送受信アンテナ１５と、携帯電話用無線部１６と、マイク１８と、マイク駆動部１７と、レシーバ２０と、レシーバ駆動部１９と、を追加で備えている。
【００６１】
図１１は、携帯端末１０２の動作を示すフローチャートの一例である。図１０で示すように、携帯端末１０２はタッチパネルセンサー１２を具備しているため、物理的なキーだけに限定せず、任意の場所をキーに割り当てることが可能となる。第一の入力モードでは、たとえば裏面のタッチパネルを、正面キー３０４に含まれないカナキーまたは英字キーのみに区分することができ、第二の入力モードでは、通常のＱＷＥＲＴＹキーを表示させることができる。
【００６２】
携帯端末１０２のディスプレイ１の背面に操作キーとなるタッチパネルディスプレイが設けられている。入力モードは、モード切替部により第二の入力モードに切り替えられている。この状態で、まずディスプレイ１に仮想のダミーキーボードを表示する（Ｓ３１）。このダミーキーボードには、上述のように、正面キー３０４に含まれないカナキーまたは英字キーのみを表示させる。キータッチが行われる（Ｓ３２ＹＥＳ）とその場所をディスプレイ１上のダミーキーボード上に重ねて表示される（Ｓ３３）。実際のキー入力はさらにタッチパネルと連動したキー入力動作を行う（Ｓ３４）。たとえばタッピングや長押しもその実現方法である。このキー入力により連動するダミーキーボード上のどの仮想キーと場所が一番近いかを判断し（Ｓ３５）、キーの入力を識別する（Ｓ３６〜Ｓ４０）。
【００６３】
この変形例によれば、実際に押下されたキーによらず、あらかじめ感覚的に決めたキーをあらかじめ決められたステップにて設定することができる。これにより、上下左右のキーの配列を設定することができ、ブラインドタッチ機能を自由に設定することができる。
【００６４】
また、より多くのキーに対し、実際に押下されたキーによらず、あらかじめ感覚的に決めたキーをあらかじめ決められたステップにて設定することができる。これにより、自由にキーの配列を設定することができ、ブラインドタッチ機能を自由に設定することができる。
【００６５】
さらに、従来表示画面の裏側に配置することができなかった入力デバイスを効果的に実現できるようになる。これにより、入力デバイスのキーの数を増やすことができる。また、入力を高速にする環境を提供することも可能となる。
【００６６】
このことは、より小型な携帯端末においても、場所の制限を低減することができ、有効的にあらゆる携帯端末上のエリアを活用することができる。したがって、ユーザの利便性を向上させることが可能となる。
【００６７】
なお、以下の構成も本発明に適用可能である。
（１）表示部の背面側に入力手段を具備する携帯端末であって、前記入力手段はキーの操作位置を自動的に補正することを特徴とするブラインドタッチ検出機能付き携帯端末。
（２）表示部の背面側に入力手段を具備する携帯端末であって、前記入力手段はキーの操作位置を自動的に補正するとともにキーの操作移動方向・移動量を検出することを特徴とするブラインドタッチ検出機能付き携帯端末。
（３）（１）または（２）の携帯端末であって、キー押下時だけでなくキータッチ時にタッチ位置を表示部に表示することを特徴とするブラインドタッチ検出機能付き携帯端末。
（４）（１）〜（３）の携帯端末であって、ヒンジ構造により前記入力手段が表示部側へ回転機構を有するブラインドタッチ検出機能付き携帯端末。
【００６８】
また、実施の形態では、ＱＷＥＲＴＹキーを複数の操作キーとして例示した。しかしながら、本発明は、ＱＷＥＲＴＹキーより少ないキーでも多いキーでも、適用可能である。
【００６９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【００７０】
【図１】実施の形態に係る携帯端末を第一面からみた斜視図である。
【図２】実施の形態に係る携帯端末を第二面からみた斜視図である。
【図３】実施の形態に係る携帯端末の側面図である。
【図４】実施の形態に係る携帯端末の論理構造を示す模式的なブロック図である。
【図５】実施の形態に係る携帯端末が有するシステム処理部の論理構造を示す模式的なブロック図である。
【図６】実施の形態に係る携帯端末の斜視図である。
【図７】実施の形態に係る携帯端末が操作エリアを選択する方法を説明するフローチャートである。
【図８】実施の形態に係る携帯端末の操作キーから選択された操作エリアの一例を示す図である。
【図９】実施の形態に係る携帯端末が操作エリアを選択する方法を説明するフローチャートである。
【図１０】実施の形態に係る変形例の携帯端末を模式的に示すブロック図である。
【図１１】実施の形態に係る変形例の携帯端末の動作を示すフローチャートを示す図である。
【図１２】本発明に関連する携帯端末の斜視図である。
【図１３】本発明に関連する携帯端末の斜視図である。
【図１４】本発明に関連する携帯端末の論理構造を示す模式的なブロック図である。
【符号の説明】
【００７１】
１    ディスプレイ
２    ディスプレイ駆動部
３    ディスプレイ表示処理部
４    正面キー
５    正面キー検出部
６    背面キー
７    背面キー検出部
８    システム処理部
９    ＣＰＵ
１０    ＲＯＭ
１１    ＲＡＭ
１２    タッチパネルセンサー
１３    タッチパネル解読部
１５    送受信アンテナ
１６    携帯電話用無線部
１７    マイク駆動部
１８    マイク
１９    レシーバ駆動部
２０    レシーバ
３１    回転ヒンジ
８１    エリア選択部
８２    区分認識部
１０１    携帯端末
１０２    携帯端末
３００    携帯端末
３０１    ディスプレイ
３０２    ディスプレイ駆動部
３０３    ディスプレイ表示処理部
３０４    正面キー
３０５    正面キー検出部
３０６    背面キー
３０７    背面キー検出部
３０８    システム処理部
３０９    ＣＰＵ
３１０    ＲＯＭ
３１１    ＲＡＭ
８０１    設定要求部
８０２    エリア設定部
８０３    エリアＤＢ
８０４    モード切替部
８０５    入力要求部
８０６    エリア特定部
８０７    実行部
【図１】
2010034857.tif 000003
【図２】
2010034857.tif 000004
【図３】
2010034857.tif 000005
【図４】
2010034857.tif 000006
【図５】
2010034857.tif 000007
【図６】
2010034857.tif 000008
【図７】
2010034857.tif 000009
【図８】
2010034857.tif 000010
【図９】
2010034857.tif 000011
【図１０】
2010034857.tif 000012
【図１１】
2010034857.tif 000013
【図１２】
2010034857.tif 000014
【図１３】
2010034857.tif 000015
【図１４】
2010034857.tif 000016